(57)【要約】【課題】防雨カバー本体の内部へ水が侵入しにくい防雨カバーを提供する。【解決手段】先に防水ブッシング７を造営面１の通線孔２に取付けて、その後に、防雨カバー本体１０を取付ける構造であるため、作業の施工業者が制限を受けず、取付作業が良好となる。しかも、このように取付作業が良好な構造でありながらも、防水パッキン９の挿入口１７が、近接または当接する防水ブッシング７の鍔部１２で覆われるため、防水パッキン９の挿入口１７から防雨カバー本体１０内に水が入りづらくなる。【選択図】図９
2008245394.tif 000002
【特許請求の範囲】
【請求項１】
造営面に設けられた通線孔に対して屋外側から挿入されて配線を挿通可能な管部と、前記管部の屋外側端部から外径方向に突設された鍔部と、を有する防水ブッシングと、
下端開口を有する略箱形状に形成され前記造営面に前記防水ブッシングより屋外側から固定される防雨カバー本体であって、前記造営面への取付面のうち前記防水ブッシングの管部に略対向する位置に前記配線を挿通可能な挿通口を有する防雨カバー本体と、
前記防雨カバー本体の取付面と前記造営面との間に介装される防水パッキンと、
を備えた防雨カバーであって、
前記防水パッキンは、前記防雨カバー本体の挿通口に対応する位置に当該挿通口と略同一形状の挿入口を有して前記防雨カバー本体の取付面のほぼ全体を覆う形状をなすとともに、屋内外方向に沿ってみると前記防水パッキンの挿入口が前記防水ブッシングの鍔部の外周縁よりも内側に位置した状態で前記防水パッキンの挿入口の周縁部に対して前記防水ブッシングの鍔部が近接または当接していることを特徴とする防雨カバー。
【請求項２】
前記防雨カバー本体の取付面と前記防水パッキンとに互いに係合する係止部が設けられ、前記防雨カバー本体の取付面に前記防水パッキンが取外自在に取り付けられていることを特徴とする請求項１記載の防雨カバー。
【請求項３】
前記防水パッキンの挿入口の周縁全周に前記防水ブッシングの鍔部側へ向けて突設されたリブが形成されていることを特徴とする請求項１又は請求項２記載の防雨カバー。
【請求項４】
前記防水パッキンの挿入口周縁のリブは、その全周または一部が前記防水ブッシングの鍔部と当接していることを特徴とする請求項３記載の防雨カバー。
【請求項５】
前記防水パッキンは、当該防水パッキンの外周側において前記造営面に当接する枠部と、前記枠部より内側に設けられ且つ前記造営面から離間するとともに前記防水ブッシングの鍔部を収容する凹部と、を備えて構成され、
前記枠部のうち前記凹部よりも下方の部分に、前記凹部に連通する状態で上下に貫通する水抜き溝が形成されていることを特徴とする請求項２〜４のいずれか１項に記載の防雨カバー。
【請求項６】
前記防水ブッシングは、前記管部が前記造営面の通線孔内に挿入された状態で前記鍔部の外径方向端部が前記造営面から離間していることを特徴とする請求項５記載の防雨カバー。
【請求項７】
前記防雨カバー本体は、前記造営面に取り付けられ且つ前記挿通口を有するボティと、前記ボティに屋外側から取り付けられるカバーと、を組み合わせて形成されていることを特徴とする請求項１〜６のいずれか１項に記載の防雨カバー。
【請求項８】
前記ボディ及び前記カバーには互いに対応する側面部をそれぞれ有し、前記カバーの上端部及び側面部の前記ボディ側端部にそれぞれ内向きの係止片を形成し、前記ボディの上端部及び側面部の基端部に前記係止片が上から係合する係止溝を形成し、前記ボディの側面部に前記係止片を前記係止溝へ案内する案内溝を形成したことを特徴とする請求項７に記載の防雨カバー。
【請求項９】
カバーの下側の開口の内部にモールの上端部が挿入された状態で接続され、カバーの下端部とモールの上端部との間にオーバラップ部が設けられていることを特徴とする請求項７または８に記載の防雨カバー。
【請求項１０】
前記防雨カバー本体の内部に、屋内側の配線と屋外側の配線とを連結するコネクタが配置され、
前記コネクタは、前記防雨カバー本体に対して非固定状態で前記防雨カバー本体内に配置されていることを特徴とする請求項１〜９のいずれか１項に記載の防雨カバー。
【請求項１１】
前記防雨カバー本体は、前記コネクタを仮固定する仮固定部を有することを特徴とする請求項１０に記載の防雨カバー。
【発明の詳細な説明】
【技術分野】
【０００１】
本発明は、建物の造営面に取り付けられて、例えば電線、電話線、テレビのアンテナ線、ＬＡＮケーブル、気体や流体を流す管などを含む配線を屋外から屋内に入線するための防雨カバーに関するものである。
【背景技術】
【０００２】
従来より、建物の屋外側の造営面に形成された通線孔に挿入される防水ブッシングを用いて、屋外と屋内との間にわたる配線を通線させる構造の防雨カバーが知られている（例えば、特許文献１参照）。
【特許文献１】特開２００５−２６９８２０号公報（図２、図１４、図１５）
【発明の開示】
【発明が解決しようとする課題】
【０００３】
しかしながら、このような従来の技術にあっては、防水ブッシングと一緒にボディ及び防水パッキンを先に造営面に取付ける必要があるため、作業の施工業者が制限を受けてしまう。すなわち、一般に、造営面の通線孔への配線及び防水ブッシングの挿入は配線工事施工業者が行い、防雨カバー本体の取付けはカバー施工業者が行うため、従来のような構造では、両施工業者が同時に作業を行わなければならず、両方の施工業者の施工日程が制限を受けることになる。
【０００４】
そのため、造営面の通線孔への防水ブッシングの挿入を先に行い、その後に、防雨カバー本体を取付けが行える構造の提案が望まれている。特に、防水ブッシングを先に取付ける構造にしても、ボディや防水パッキンにおける配線が通過する部分から、防雨カバー本体の内部へ水が侵入しにくい構造の提案が待たれている。
【０００５】
本発明は、このような従来の技術に着目してなされたものであり、防水ブッシングを造営面に先に取付け、その後に防水パッキン及び防雨カバー本体を取付ける構造にしても、防雨カバー本体の内部へ水が侵入しにくい防雨カバーを提供するものである。
【課題を解決するための手段】
【０００６】
請求項１記載の発明は、造営面に設けられた通線孔に対して屋外側から挿入されて配線を挿通可能な管部と、前記管部の屋外側端部から外径方向に突設された鍔部と、を有する防水ブッシングと、下端開口を有する略箱形状に形成され前記造営面に前記防水ブッシングより屋外側から固定される防雨カバー本体であって、前記造営面への取付面のうち前記防水ブッシングの管部に略対向する位置に前記配線を挿通可能な挿通口を有する防雨カバー本体と、前記防雨カバー本体の取付面と前記造営面との間に介装される防水パッキンと、備えた防雨カバーであって、前記防水パッキンは、前記防雨カバー本体の挿通口に対応する位置に当該挿通口と略同一形状の挿入口を有して前記防雨カバー本体の取付面のほぼ全体を覆う形状をなすとともに、屋内外方向に沿ってみると前記防水パッキンの挿入口が前記防水ブッシングの鍔部の外周縁よりも内側に位置した状態で前記防水パッキンの挿入口の周縁部に対して前記防水ブッシングの鍔部が近接または当接していることを特徴とする。
【０００７】
請求項２記載の発明は、前記防雨カバー本体の取付面と前記防水パッキンとに互いに係合する係止部が設けられ、前記防雨カバー本体の取付面に前記防水パッキンが取外自在に取り付けられていることを特徴とする。
【０００８】
請求項３記載の発明は、前記防水パッキンの挿入口の周縁全周に前記防水ブッシングの鍔部側へ向けて突設されたリブが形成されていることを特徴とする。
【０００９】
請求項４記載の発明は、前記防水パッキンの挿入口周縁のリブは、その全周または一部が前記防水ブッシングの鍔部と当接していることを特徴とする。
【００１０】
請求項５記載の発明は、前記防水パッキンは、当該防水パッキンの外周側において前記造営面に当接する枠部と、前記枠部より内側に設けられ且つ前記造営面から離間するとともに前記防水ブッシングの鍔部を収容する凹部と、を備えて構成され、前記枠部のうち前記凹部よりも下方の部分に、前記凹部に連通する状態で上下に貫通する水抜き溝が形成されていることを特徴とする。
【００１１】
請求項６記載の発明は、前記防水ブッシングは、前記管部が前記造営面の通線孔内に挿入された状態で前記鍔部の外径方向端部が前記造営面から離間していることを特徴とする。
【００１２】
請求項７記載の発明は、前記防雨カバー本体は、前記造営面に取り付けられ且つ前記挿通口を有するボティと、前記ボティに屋外側から取り付けられるカバーと、を組み合わせて形成されていることを特徴とする。
【００１３】
請求項８記載の発明は、前記ボディ及び前記カバーには互いに対応する側面部をそれぞれ有し、前記カバーの上端部及び側面部の前記ボディ側端部にそれぞれ内向きの係止片を形成し、前記ボディの上端部及び側面部の基端部に前記係止片が上から係合する係止溝を形成し、前記ボディの側面部に前記係止片を前記係止溝へ案内する案内溝を形成したことを特徴とする。
【００１４】
請求項９記載の発明は、カバーの下側の開口の内部にモールの上端部が挿入された状態で接続され、カバーの下端部とモールの上端部との間にオーバラップ部が設けられていることを特徴とする。
【００１５】
請求項１０記載の発明は、前記防雨カバー本体の内部に、屋内側の配線と屋外側の配線とを連結するコネクタが配置され、前記コネクタは、前記防雨カバー本体に対して非固定状態で前記防雨カバー本体内に配置されていることを特徴とする。
【００１６】
請求項１１記載の発明は、前記防雨カバー本体は、前記コネクタを仮固定する仮固定部を有することを特徴とする。
【発明の効果】
【００１７】
請求項１記載の発明によれば、先に防水ブッシングを造営面の通線孔に取付けて、その後に、防雨カバー本体を取付ける構造であるため、作業の施工業者が制限を受けず、取付作業が良好となる。しかも、このように取付作業が良好な構造でありながらも、防水パッキンの挿入口が防水ブッシングの鍔部で覆われるかたちになるため、防水パッキンの挿入口から防雨カバー本体内に水が入りづらくなる。
【００１８】
請求項２記載の発明によれば、防雨カバー本体の取付面側に防水パッキンを予め取付けておくことができるため、防雨カバー本体を造営面に取付ける作業が容易である。
【００１９】
請求項３記載の発明によれば、防水パッキンの挿入口の周縁全周にリブを形成したため、防水パッキンの裏面に沿って流下する水が挿入口から防雨カバー本体の内部へ侵入するのを防止することができる。
【００２０】
請求項４記載の発明によれば、防水パッキンの挿入口周縁に形成したリブが防水ブッシングの鍔部と近接又は当接しているため、水が挿入口から防雨カバー本体の内部へ侵入するのを更に確実に防止することができる。また、防雨カバー本体を取付ける際、防雨カバー本体の取付面を押すと、防水パッキンを介して防水ブッシングの鍔部の感触を得ることができ、防水ブッシングの確実な取付状態を確認することができる。
【００２１】
請求項５記載の発明によれば、防水パッキンの凹部内に侵入した水を、凹部内に溜めることなく、水抜き溝より下方へ排出することができる。
【００２２】
請求項６記載の発明によれば、防水ブッシングの鍔部の外周縁が造営面から離間しているため、造営面の表面を流下する水が防水ブッシング内に侵入するのを防止することができる。
【００２３】
請求項７記載の発明によれば、防雨カバー本体がボディとカバーとから構成されているため、カバーをボディに取付ける前に、ボディだけを先に造営面に取付けて、コネクタ接続作業や配索作業をなどが行うことができ、作業性が良い。
【００２４】
請求項８記載の発明によれば、ボディの側面部に案内溝が形成されているため、カバーの係止片をボディの側面部の案内溝に入れて、そのままボディ側に移動させるだけで、係止片を係止溝まで導くことができる。係止片が係止溝に至ったら、カバーを少し下げるだけで係止片が係止溝に係合し、カバーをボディに対して取付けた状態にすることができ、カバーの取付作業が容易である。
【００２５】
請求項９の発明によれば、カバーの下端部とモールの上端部との間にオーバラップ部を設けたため、モールの上端部を隠すことができると共に、カバーの外部からモール内に水が侵入するのを防止することができる。
【００２６】
請求項１０記載の発明によれば、防雨カバー本体の内部で、配線を結線するコネクタが固定されないため、結線後のカバー内部への配線余長の収納が容易となる。
【００２７】
請求項１１記載の発明によれば、防雨カバー本体にコネクタを仮固定する仮固定部を設けたため、出荷時にコネクタを防雨カバー本体に対して仮止めしておくことができ、輸送中にコネクタが動いて衝撃による割れや破損が生じることを防ぐことができる。
【発明を実施するための最良の形態】
【００２８】
（実施形態１）
本発明の実施形態１を図１〜図１２に基づいて説明する。尚、以下の説明では特に断りがない限り、図２において、屋外側を表面側、屋内側を裏面側、裏面側に向かって左右方向を規定するものとする。
【００２９】
建物の造営面１には通線孔２が形成されている。この通線孔２は断面円形で、内部に電線、電話線、テレビのアンテナ線、ＬＡＮケーブル、気体や流体を流す管などを含む配線３、４を屋外から屋内に導入するためのものである。通線孔２の上下には固定穴５も形成されている。配線３、４は屋内側の配線３と、屋外側の配線４に分かれており（図９参照）、屋内側の配線３はすでに通線孔２内に通されて、通線孔２より屋外側に出た状態とされている（図７参照）。
【００３０】
このような通線孔２が形成された造営面１に、屋外側から防雨カバー６が取付けられる。防雨カバー６は、後述する防水ブッシング７、防水パッキン９、防雨カバー本体１０と、を備えて構成されている。
【００３１】
この通線孔２に挿入されるのが防水ブッシング７である（図６参照）。防水ブッシング７は、通線孔２を通って水が屋内側へ侵入するのを防止するためのもので、合成樹脂成型品からなり、通線孔２に対して配線３を挿通可能な管部１１と、管部１１の屋外側端部から外径方向に突設された矩形の鍔部１２と、から形成されている。
【００３２】
防水ブッシング７の管部１１の周面には、通線孔２の内面に圧接して水の移動を阻止し且つ管部１１自身の抜けを防止するための複数の環状リブ１３が形成されている。環状リブ１３が通線孔２の内面と密着し、造営面１の表面を流下する水滴が通線孔２から屋内側に浸入するのを防止できるため、通線孔２をコーキングで埋める必要が無く、コーキングレスでの省施工が可能となる。
【００３３】
この例では、防水ブッシング７の鍔部１２は、２分割されている。つまり鍔部１２は、管部１１の屋外側端部と一体に設けられた内周部１２ａと、この内周部１２に対して外周側から取り付けられた外周部１２ｂと、を備えて構成されている。なお、本発明では、内周部１２ａと外周部１２ｂとが一体成形であってもよい。
【００３４】
鍔部１２は、外径方向端部が造営面１から屋外側に離間してオフセットした立体形状になっている。
【００３５】
前述のような防水ブッシング７の通線孔２への挿入・取付けは配線工事施工業者により行われ、防水ブッシング７を取付けた状態で、配線３は防水ブッシング７より屋外側に出した状態としておく。
【００３６】
次に、カバー施工業者により、造営面１に対して、防水パッキン９及び防雨カバー本体１０を取付けられる。
【００３７】
防水パッキン９は軟質の合成樹脂製で、全体として矩形状で、外周側は前記造営面１に当接する枠部１４が設けられている。この枠部１４の裏面には略全周に周溝（係止部の一方）１５が形成されている。
【００３８】
枠部１４の内側で上下中間位置には屋外側への凹部１６が形成されている。凹部１６は取付け状態で、造営面１から離間した状態となり、前記防水ブッシング７の鍔部１２を収容することができる。
【００３９】
凹部１６の略中央には管部１１に略対向する位置に挿入口１７が形成されている。挿入口１７は上下方向に長い長円形で、その周縁全周には鍔部１２側へ向けて突設されたリブ１８が形成されている。
【００４０】
防水パッキン９における凹部１６よりも上部には、防水ブッシング７の鍔部１２上端を上方へ突出させるためのスリット１９が形成されている。
【００４１】
また、防水パッキン９における凹部１６よりも下方の部分には、凹部１６に連通する状態で上下に貫通する水抜き溝２０（図４、５参照）が形成されている。
【００４２】
更に、防水パッキン９の凹部１６よりも上下には、造営面１の固定穴５に対応する固定孔２１がそれぞれ形成されている。
【００４３】
次に、防雨カバー本体１０の構造を説明する。
【００４４】
防雨カバー本体１０は合成樹脂製で、ボディ２２とカバー２３とから構成されている。
【００４５】
ボディ２２は防水パッキン９と同じ矩形状で、上下中央には防水パッキン９の凹部１６が収容される凹部２４が裏面側から形成されており、凹部２４の中央には防水パッキン９の挿入口１７と同じ形状の挿通口２５が形成されている。
【００４６】
凹部２４の上下には防水パッキン９の固定孔２１に対応する固定孔２６が形成されている。
【００４７】
このボディ２２の周縁の略全周には、前記防水パッキン９の周溝１５内に係合する突起（係止部）２７が形成されている。
【００４８】
そして、ボディ２２の側端と下端からは、それぞれ側面部２８及び底面部２９が屋外側へ向けて一体的に形成されている。
【００４９】
側面部２８の外側面にはそれぞれ上下一対の案内溝３０が凹設されている。案内溝３０は基本的に水平方向に沿って形成されており、各案内溝３０の屋外側は上下方向へ広がったテーパ状になっている。そして、それら案内溝３０の屋外側部分では、上下の案内溝３０のテーパ部分が統合されて一体化された状態になっている。
【００５０】
案内溝３０の屋内側端で、側面部２８のボディ２２に対する基端部には、案内溝３０から下向きに係止溝３１がそれぞれ形成されている。
【００５１】
また、ボディ２２の上端における中央部にも、同様に下向きの係止溝３２が形成されている。
【００５２】
底面部２９には、配線４を通すための円孔３３が形成されている。
【００５３】
このような構造のボディ２２に対してカバー２３が取付けられる。カバー２３は、ボディ２２と同様の側面部３４を有し、下方にはボディ２２の底面部２９に相当する下端開口３５が形成されている。
【００５４】
そして、カバー２３の上端部には上下方向で内向き（下向き）の係止片３６が形成され、側面部３４の屋内側の端部には、横方向で内向きの係止片３７がそれぞれ形成されている。
【００５５】
次に、予め防水ブッシング７が取付けられた造営面１に対して、防雨カバー本体１０を取付ける工程を、図７〜図９に基づいて説明する。
【００５６】
まず、防水ブッシング７が取付けられた造営面１に対してボディ２２を固定する前に、ボディ２２の裏面に防水パッキン９を重合した状態で取付けておく。ボディ２２に対する防水パッキン９の取付けは、防水パッキン９の周縁の周溝１５を、ボディ２２の周縁に形成された突起２７を係合させることによる行う。周溝１５と突起２７を係合させることにより、防水パッキン９はボディ２２の裏面に一体的に重合された状態となり、凹部１６、２４同士、挿入口１７と挿通口２５同士、固定孔２１、２６同士がそれぞれ対応した状態となる。
【００５７】
次に、防水パッキン９が裏面に重合されたボディ２２を、造営面１に押し当て、固定孔２１、２６に挿入した木ねじによる固定ねじ３８を、造営面１の固定穴５内に螺入して、ボディ２２を造営面１に対して固定する（図８）。
【００５８】
このとき、ボディ２２の裏面に防水パッキン９が予め取付けられているため、ボディ２２の固定作業が容易となる。また、ボディ２２を造営面１側に押す際には、防水パッキン９を介して防水ブッシング７の鍔部１２の感触を得ることができるため、防水ブッシング７が通線孔２に確実な挿入状態で取付けられているかどうか確認することができる。すなわち、防水ブッシング７の挿入が不十分で鍔部１２が造営面１から離間し過ぎているような場合には、その状態を確認することができると共に、そのまま鍔部１２を押し込むことができる。このようにできるのも、防水パッキン９がボディ２２の裏面の略全面に重合されており、防水パッキン９と鍔部１２とが屋内外方向で部分的に重なりあっているからである。
【００５９】
次に、ボディ２２を取付けた後、カバー２３を取付ける前に、底面部２９の円孔３３から屋外側の配線４を導入し、コネクタ３９を用いて、屋外側の配線３、４と結線する。カバー２３を取付ける前の開放状態で配線３、４の結線を行うため、作業が容易である。また、コネクタ３９は、ボディ２２等に固定されておらず、自由に動けるため、結線後における円孔３３からの配線３、４の余長部分の収納が容易となる。
【００６０】
次に、配線３、４の結線をした後、ボディ２２に対してカバー２３を取付ける。カバー２３を取付ける際には、まずカバー２３の側面部３４の係止片３７を、ボディ２２の側面部２８の案内溝３０に概ね合わせる。案内溝３０の屋外側はテーパ状の案内溝３０が統合されて、図４に示すように、大きな上下寸法Ｓになっている。この上下寸法Ｓは、カバー２３の側面部３４の係止片３７間の上下寸法Ｓ２よりも十分に大きいため、両係止片３７を案内溝３０の前記上下寸法Ｓ１の範囲内に概ね合わせる作業は容易である。
【００６１】
係止片３７を案内溝３０に概ね合わせた後、カバー２３をそのまま屋内側に水平に移動すると、側面部３４の係止片３７が案内溝３０に沿って屋内側へ進み、最終的に端部の係止溝３１に突き当たる。従って、その状態からカバー２３を少し下げると、係止片３７が係止溝３１内に係合する。カバー２３の上端の係止片３６も同時にボディ２２の上端の係止溝３２内に係合する。係止片３６、３７が係止溝３１、３２内に係合すると、カバー２３の屋外方向への抜けが防止され、カバー２３がボディ２２に対して取付けられた状態となる。このように、カバー２３を水平方向に移動させることにより、係止片３７と係止溝３１とを位置合わせすることができるため、カバー２３の取付作業が容易である。
【００６２】
以上のようにカバー２３をボディ２２に取付けることにより、箱型の防雨カバー本体１０が形成される。カバー２３の下端開口３５もボディ２２の底面部２９により塞がれた状態となり、防雨カバー本体１０により、コネクタ３９による配線３、４の結線部等を覆うことができるため、コネクタ３９等が風雨や太陽光線に晒されて劣化するのを防止することができると共に、屋外側から直接防水ブッシング７の内部へ侵入しようとする雨水等を防ぐことができる。
【００６３】
そして、防水パッキン９と造営面１との間から水が侵入し、その水が造営面１に沿って流下しても、図１０に示すように、防水ブッシング７の鍔部１２の外周縁が、造営面１からＤだけ離間しているため、造営面１の表面を流下する水が防水ブッシング７内に侵入するのを防止することができる。
【００６４】
また、防水ブッシング７の鍔部１２の上端は防水パッキン９のスリット１９より上方へ突出して、ボディ２２の凹部２４の上面に当接するため、造営面１の表面に沿って流下する水がスリット１９を介して防雨カバー本体１０の内部側へ侵入するのを防止することができる。
【００６５】
更に、防水パッキン９の挿入口１７の周縁全周にリブ１８が形成されているため、防水パッキン９の裏面に沿って流下する水が挿入口１７から防雨カバー本体１０の内部へ侵入するのを防止することもできる。特に、リブ１８が防水ブッシング７の鍔部１２と近接しているため（当接させても可）、水が挿入口１７から防雨カバー本体１０の内部側へ侵入するのをより確実に防止することができる。
【００６６】
また、造営面１の表面を流下する水が防水パッキン９の挿入口１７付近に至っても、図１０に示すように挿入口１７の下側が、防水ブッシング７の鍔部１２によりＥの範囲で塞がれることにより、防水パッキン９の挿入口１７から水が防雨カバー本体１０の内部に入りづらくなる。
【００６７】
更に、凹部１６の下側には水抜き溝２０が形成されているため、侵入した水を凹部１６内に溜めることなく、水抜き溝２０より下方へ排出することができる。
【００６８】
以下、本実施形態の効果を列挙する。
【００６９】
本実施形態の防雨カバー６は、防水パッキン９は、防雨カバー本体１０の挿通口２５に対応する位置に当該挿通口２５と略同一形状の挿入口１７を有して前記防雨カバー本体１０の取付面のほぼ全体を覆う形状をなすとともに、屋内外方向に沿ってみると前記防水パッキン９の挿入口１７が前記防水ブッシング７の鍔部１２の外周縁よりも内側に位置した状態で前記防水パッキン９の挿入口１７の周縁部に対して前記防水ブッシング７の鍔部１２が近接または当接していることを特徴とする。
【００７０】
請求項１記載の発明によれば、先に防水ブッシング７を造営面１の通線孔２に取付けて、その後に、防雨カバー本体１０を取付ける構造であるため、作業の施工業者が制限を受けず、取付作業が良好となる。しかも、このように取付作業が良好な構造でありながらも、防水パッキン９の挿入口１７が防水ブッシング７の鍔部１２で覆われるかたちになるため、防水パッキン９の挿入口１７から防雨カバー本体１０内に水が入りづらくなる。
【００７１】
また本実施形態の防雨カバー６は、防雨カバー本体１０の取付面と前記防水パッキン９とに互いに係合する係止部１５、２７が設けられ、前記防雨カバー本体１０の取付面に前記防水パッキン９が取外自在に取り付けられている。つまり、防雨カバー本体１０の取付面側に防水パッキン９を予め取付けておくことができるため、防雨カバー本体１０を造営面１に取付ける作業が容易となる。
【００７２】
また本実施形態の防雨カバー６は、防水パッキン９の挿入口１７の周縁全周に前記防水ブッシング７の鍔部１２側へ向けて突設されたリブ１８が形成されている。そのため、防水パッキン９の裏面に沿って流下する水が、たとえ防水パッキン９の挿入口１７の上方に付着して垂れてきたとしても、水が、防水パッキン９の挿入口１７内に入り込みにくくなる。
【００７３】
また本実施形態の防雨カバー６では、前記防水パッキン９の挿入口１７の周縁のリブ１８は、その全周または一部が前記防水ブッシング７の鍔部１２と当接している。そのため、水が挿入口１７内へ侵入するのを更に確実に防止することができる。また、防雨カバー本体１０を取付ける際、防雨カバー本体１０の取付面を押すと、防水パッキン９を介して防水ブッシング７の鍔部１２の感触を得ることができ、防水ブッシング７の確実な取付状態を確認することができる。
【００７４】
また本実施形態の防雨カバー６では、防水パッキン９は、当該防水パッキン９の外周側において前記造営面１に当接する枠部１４と、枠部１４より内側に設けられ且つ造営面１から離間するとともに前記防水ブッシング７の鍔部１２を収容する凹部１６と、を備えて構成され、前記枠部１４のうち前記凹部１６よりも下方の部分に、前記凹部１６に連通する状態で上下に貫通する水抜き溝２０が形成されている。そのため、防水パッキン９の凹部１６内に侵入した水を凹部１６内に溜めることなく、水抜き溝２０より下方へ排出できる。
【００７５】
また本実施形態では、防水ブッシング７は、前記管部１１が前記造営面１の通線孔２内に挿入された状態で前記鍔部１２の外径方向端部が前記造営面１から離間している。そのため、造営面１の表面を流下する水が防水ブッシング７内に侵入するのを防止できる。
【００７６】
また本実施形態では、防雨カバー本体１０は、前記造営面１に取り付けられ且つ前記挿通口２５を有するボティ２２と、前記ボティ２２に屋外側から取り付けられるカバー２３と、を組み合わせて略箱状に形成されている。そのため、カバー２３をボディ２２に取付ける前に、ボディ２２だけを先に造営面１に取付けて、コネクタ接続作業や配索作業をなどが行うことができ、作業性が良い。
【００７７】
また本実施形態では、ボディ２２及び前記カバー２３には互いに対応する側面部をそれぞれ有し、前記カバー２３の上端部及び側面部の前記ボディ２２側端部にそれぞれ内向きの係止片３６、３７を形成し、前記ボディ２２の上端部及び側面部の基端部に前記係止片３６、３７が上から係合する係止溝３１、３２を形成し、前記ボディ２２の側面部に前記係止片３６、３７を前記係止溝３１、３２へ案内する案内溝３０を形成してある。そのため、ボディ２２の側面部に案内溝３０が形成されているため、カバー２３の係止片３６、３７をボディ２２の側面部の案内溝３０に入れて、そのままボディ２２側に移動させるだけで、係止片３６、３７を係止溝３１、３２まで導くことができる。係止片３６、３７が係止溝３１、３２に至ったら、カバー２３を少し下げるだけで係止片３６、３７が係止溝３１、３２に係合し、カバー２３をボディ２２に対して取付けた状態にすることができ、カバー２３の取付作業が容易である。
【００７８】
また本実施形態では、前記防雨カバー本体１０の内部に、屋内側の配線３と屋外側の配線４とを連結するコネクタ３９が配置され、前記コネクタは、前記防雨カバー本体１０に対して非固定状態で前記防雨カバー本体１０内に配置されていることを特徴とする。
【００７９】
また本実施形態では、防雨カバー本体１０の内部で、配線３、４を結線するコネクタ３９が固定されないため、結線後のカバー２３内部への配線余長の収納が容易となる。
【００８０】
（実施形態２）
本発明の実施形態２を図１３に基づいて説明する。尚、本実施形態２は上記第１実施形態にかかると同様の構成要素を備えている。よって、それら同様の構成要素については共通の符号を付すとともに、重複する説明を省略する。
【００８１】
この実施形態では、コネクタ３９を、ボディ２２における底面部２９と、一方の側面部２８との角部に仮固定するための仮固定片４０と側片４１を一体形成した。仮固定片４０はコネクタ３９を上から押さえ、先端の爪部４２をコネクタ３９の上端に係合させて仮固定する。側片４１は側面部２８との間にコネクタ３９を挟持する。仮固定片４０と側片４１はボディ２２を成形する際に同時成形される。仮固定片４０と側片４１により、「仮固定部」が構成され、造営面１に取付ける前の段階の保管や輸送の際に、コネクタ３９をボディ２２に仮固定する。このように、ボディ２２にコネクタ３９を仮固定することができるため、出荷時にコネクタ３９を仮固定しておけば、輸送中にコネクタ３９が動いて衝撃による割れや破損が生じることを防ぐことができる。コネクタ２９を使用する際には、仮固定片４０を上に持ち上げ、爪部４２との係合を解除して手間でに取り出すことができる。尚、仮固定部としては、このような構造に限定されず、両面テープは面ファスナー等を使用しても良い。
【００８２】
（実施形態３）
本発明の実施形態３を図１４及び図１５に基づいて説明する。尚、本実施形態３も上記第１実施形態にかかると同様の構成要素を備えている。よって、それら同様の構成要素については共通の符号を付すとともに、重複する説明を省略する。
【００８３】
この実施形態では、ボディ２２の底面部２９における円孔３３に、ＣＤ管コネクタ３９により、配線３、４を通して保護するためのＣＤ管４３が下向きに取付けられている。更に、カバー２３の下端には断面コ字形のモール４４が下から挿入された状態で結合されている。モール４４は雨が防雨カバー本体１０の下側から侵入しないようにするためのものである。モール４４を取付けた状態で、カバー２３の下端部と、モール４４の上端部との間には上下方向でのオーバラップ部Ｐが設けられている。
【００８４】
従って、カバー２３の下端部によりモール４４の上端部を隠すことができると共に、カバー２３の外部からモール４４内に水が侵入するのを防止することができる。
【００８５】
以上、本発明の各好適な実施形態について説明したが、本発明は上記実施形態に限定されるものではなく、種々の変形が可能である。
【００８６】
例えば、ボディ２２とカバー２３とは最初から一体形成されたものでも良い。そうすることにより、部品点数の低減を図ることができる。
【００８７】
また、ボディ２２において底面部２９をボディ２２とは別体して、後から取付けるようにしても良い。
【図面の簡単な説明】
【００８８】
【図１】本発明の実施形態１に係る防雨カバーを示す側面図。
【図２】防雨カバーを示す斜視図。
【図３】防雨カバーを示す分解斜視図。
【図４】ボディとカバーを示す斜視図。
【図５】図４中矢示ＤＡ方向から見た防雨カバー本体の底面図。
【図６】防雨カバーを示す分解断面図。
【図７】通線孔に防水ブッシングを取付けた状態を示す断面図。
【図８】造営面にボディを取付けた状態を示す断面図。
【図９】造営面に取付けられた防雨カバーを示す断面図。
【図１０】図９中の要部拡大断面図。
【図１１】造営面に固定されたボディとカバーを示す斜視図。
【図１２】防雨カバーから防水ブッシングが突出した状態を示す斜視図。
【図１３】本発明の実施形態２を示すボディの斜視図。
【図１４】本発明の実施形態３に係る防雨カバー及びモールを示す斜視図。
【図１５】防雨カバー及びモールを示す断面図。
【符号の説明】
【００８９】
１  造営面
２  通線孔
３、４  配線
６  防雨カバー
７  防水ブッシング
９  防水パッキン
１０  防雨カバー本体
１１  管部
１２  鍔部
１５  周溝（係止部）
１７  防雨カバーの挿入口
２０  スリット
２２  ボディ
２３  カバー
２５  防止パッキンの挿通口
２７  突起（係止部）
２８  側面部（ボディ）
２８  底面部（ボディ）
３０  案内溝
３１、３２  係止溝
３４  側面部（カバー）
３６、３７  係止片
３９  コネクタ
４０  仮固定片（仮固定部）
４１  側片（仮固定部）
４４  モール
【図１】
2008245394.tif 000003
【図２】
2008245394.tif 000004
【図３】
2008245394.tif 000005
【図４】
2008245394.tif 000006
【図５】
2008245394.tif 000007
【図６】
2008245394.tif 000008
【図７】
2008245394.tif 000009
【図８】
2008245394.tif 000010
【図９】
2008245394.tif 000011
【図１０】
2008245394.tif 000012
【図１１】
2008245394.tif 000013
【図１２】
2008245394.tif 000014
【図１３】
2008245394.tif 000015
【図１４】
2008245394.tif 000016
【図１５】
2008245394.tif 000017